(57)【要約】    【課題】現在の使用者状態情報に対応する応答モードをマッピングし、受信した無線信号を処理する移動通信端末機及びその無線信号処理方法を提供する。    【解決手段】本発明による移動通信端末機の無線信号処理方法は、無線信号を受信すると、移動通信端末機に設定されている使用者状態情報を確認する段階と、前記確認された使用者状態情報に対応する応答モードをマッピングする段階と、前記マッピングされた応答モードにしたがって前記無線信号を処理する段階と、を含む。【選択図】図２
2007195196.tif 000002
【特許請求の範囲】
【請求項１】
無線信号を受信すると、移動通信端末機に設定されている使用者状態情報を確認する段階と、
前記確認された使用者状態情報に対応する応答モードをマッピングする段階と、
前記マッピングされた応答モードにしたがって前記無線信号を処理する段階と、
を含んで構成される移動通信端末機の無線信号処理方法。
【請求項２】
前記無線信号は、呼び出し信号及びメッセージ信号のうちの少なくとも一つである請求項１に記載の移動通信端末機の無線信号処理方法。
【請求項３】
前記移動通信端末機に前記使用者状態情報を設定する段階をさらに含んで構成される請求項１に記載の移動通信端末機の無線信号処理方法。
【請求項４】
インスタントメッセージングサービス機能が使用されているか否かを確認する段階と、
前記確認の結果に応じて、前記設定された使用者状態情報を外部のインスタントメッセージングサービスサーバーに登録する段階と、
をさらに含んで構成される請求項１に記載の移動通信端末機の無線信号処理方法。
【請求項５】
前記確認の結果に基づいて、前記設定された使用者状態情報を外部の信号管理サーバーに登録する段階をさらに含んで構成される請求項４に記載の移動通信端末機の無線信号処理方法。
【請求項６】
前記無線信号の発信者情報を確認する段階と、
前記確認の結果に応じて、前記設定された使用者状態情報とは無関係に前記無線信号を処理する段階と、
をさらに含んで構成される請求項１に記載の移動通信端末機の無線信号処理方法。
【請求項７】
前記設定された使用者状態情報が「退席（empty）」である場合には、無応答モードをマッピングし、前記無線信号に対して前記移動通信端末機が応答不可能な状態にあるものとして処理する請求項１に記載の移動通信端末機の無線信号処理方法。
【請求項８】
前記設定された使用者状態情報が「取り込み中（busy）」である場合には、前記マッピングする段階において通話不可応答モードをマッピングし、前記処理する段階において前記無線信号に対して前記移動通信端末機が通話不可能な状態にあるものとして処理する請求項１に記載の移動通信端末機の無線信号処理方法。
【請求項９】
前記設定された使用者状態情報が「オフライン設定（set as off-line）」である場合には、前記マッピングオフライン応答モードをマッピングし、前記無線信号に対して前記移動通信端末機の電源がオフ状態にあるものとして処理する請求項１に記載の移動通信端末機の無線信号処理方法。
【請求項１０】
移動通信端末機がインスタントメッセージングサービスサーバーに使用者状態情報を登録する段階と、
前記インスタントメッセージングサービスサーバーが前記登録された使用者状態情報を信号管理サーバーと共有する段階と、
前記移動通信端末機が前記信号管理サーバーから無線信号を受信する段階と、
前記移動通信端末機が前記登録された使用者状態情報に基づいて前記受信した無線信号を処理する段階と、
を含んで構成される通信システムにおける無線信号処理方法。
【請求項１１】
前記移動通信端末機がインスタントメッセージングサービス機能を使用していない場合に前記移動通信端末機が前記使用者状態情報を前記信号管理サーバーに登録する段階をさらに含んで構成される請求項１０に記載の通信システムにおける無線信号処理方法。
【請求項１２】
使用者状態情報を設定する状態設定モジュールと、
無線信号を受信する送受信部と、
設定された前記使用者状態情報に対応する応答モードをマッピングし、このマッピングされた応答モードに応じて前記無線信号を処理するための制御信号を出力する制御部と、
を含んで構成される無線信号処理機能を有する移動通信端末機。
【請求項１３】
前記設定された使用者状態情報を外部のインスタントメッセージングサービスサーバー及び信号管理サーバーのうちの少なくとも一つに登録する請求項１２に記載の無線信号処理機能を有する移動通信端末機。
【請求項１４】
前記制御部は、前記設定された使用者状態情報に対応する応答モードをマッピングするマッピングモジュールを含む請求項１２に記載の無線信号処理機能を有する移動通信端末機。
【請求項１５】
前記制御信号に応じて前記無線信号を処理する信号処理部をさらに含む請求項１２に記載の無線信号処理機能を有する移動通信端末機。
【請求項１６】
前記制御部は、前記設定された使用者状態情報が「退席（empty）」である場合、無応答モードをマッピングし、このマッピングされた無応答モードに応じて、前記無線信号に対して前記移動通信端末機が応答不可能な状態にあるものとして処理するための制御信号を出力する請求項１２に記載の無線信号処理機能を有する移動通信端末機。
【請求項１７】
前記制御部は、前記設定された使用者状態情報が「取り込み中（busy）」である場合、通話不可応答モードをマッピングし、このマッピングされた通話不可応答モードに応じて、前記無線信号に対して前記移動通信端末機が通話不可能な状態にあるものとして処理するための制御信号を出力する請求項１２に記載の無線信号処理機能を有する移動通信端末機。
【請求項１８】
前記制御部は、前記設定された使用者状態情報が「オフライン設定（set as off-line）」である場合、オフライン応答モードをマッピングし、このマッピングされたオフライン応答モードに応じて、前記無線信号に対して前記移動通信端末機の電源がオフ状態にあるものとして処理するための制御信号を出力する請求項１２に記載の無線信号処理機能を有する移動通信端末機。
【請求項１９】
移動通信端末機から受信した使用者状態情報を登録して管理するインスタントメッセージングサービスサーバーと、
前記インスタントメッセージングサービスサーバーに登録された前記使用者状態情報を共有し、前記使用者状態情報によって前記移動通信端末機に伝送される無線信号が処理されるように管理する信号管理サーバーと、
前記使用者状態情報を前記インスタントメッセージングサービスサーバーに送信し、前記信号管理サーバーを通して受信される無線信号を前記使用者状態情報によって処理する移動通信端末機と、
を含んで構成される無線信号処理機能を有する通信システム。
【請求項２０】
前記移動通信端末機は、インスタントメッセージングサービス機能を使用していない場合、前記設定された使用者状態情報を前記信号管理サーバーに送信する請求項１９に記載の無線信号処理機能を有する通信システム。
【発明の詳細な説明】
【技術分野】
【０００１】
この出願は、２００６年１月２０日に出願された韓国特許出願１０−２００６−０００６４９３に基づく優先権を主張するものであり、その内容は全て本明細書に組み込まれる。
【０００２】
本発明は、移動通信端末機に関するものであり、より詳しくは、移動通信端末機における無線信号処理方法、移動通信システム及び移動通信端末機に関するものである。
【背景技術】
【０００３】
最近、インターネット利用者が急増するにつれて、多様なインターネットサービスが開発されて提供されている。そのうち、インスタントメッセージングサービス（Ｉｎｓｔａｎｔ  Ｍｅｓｓａｇｉｎｇ  Ｓｅｒｖｉｃｅ）は、このインスタントメッセージングサービスを利用中の各使用者間で、文字チャット、音声チャットまたは画像チャットをリアルタイムで行うためのインターネットコミュニケーションサービスである。最近では、このようなインスタントメッセージングサービスを移動通信システムに適用した、モバイルインスタントメッセージングサービスも行われている。
【０００４】
また、インスタントメッセージングサービスを利用することで、使用者は、このインスタントメッセージングサービスを利用している他の使用者の現在の状態情報をリアルタイムで受けることができる。
【０００５】
移動通信端末機は、インスタントメッセージングサービスを管理するサーバーから与えられたＩＤ及びパスワードの入力によってログインをする。ログインが成功すると、移動通信端末機は、インスタントメッセージングサービスを利用するために連結された他の使用者のリストをサーバーから受信する。そして、移動通信端末機は、このリストに含まれた使用者に関する状態情報を表示する。
【０００６】
以下、図１を参照して、インスタントメッセージングサービスを利用する使用者についての状態情報を説明する。
【０００７】
図１に示すように、使用者状態情報は、オンライン状態１１０とオフライン状態１２０とに大別される。そして、オンライン状態１１０での使用者状態情報は、「対話可能（Conversation enable）」１１２、「取り込み中（busy）１１４」及び「退席（empty）」１１６などとして表示される。また、オフライン状態１２０での使用者状態情報は、使用者の意思によって、「オフライン設定（set as off-line）」１２２または「オフライン（Off line）」１２４として表示される。
【発明の開示】
【発明が解決しようとする課題】
【０００８】
しかしながら、上述した従来技術では、使用者の実際の状態が考慮されて使用者状態情報が設定された場合であっても、この使用者状態情報は、インスタントメッセージングサービスと関連する動作のみにしか影響を及ぼさず、呼出信号やメッセージ信号の受信動作には全く影響を及ぼさなかった。
【０００９】
したがって、移動通信端末機は、使用者状態情報が「退席（empty）」や「オフライン設定（set as off-line）」となっている場合でも、使用者状態情報にかかわらず、呼び出し信号やメッセージ信号を通常通りに受信していた。
【００１０】
そこで、本発明は、上記従来技術の問題点を実質的に解決できる移動通信端末機の無線信号処理方法、移動通信システム及び移動通信端末機を提供する。
【００１１】
本発明の目的は、使用者状態情報に応じて無線信号を処理する移動通信端末機及び無線信号処理方法を提供することにある。
【００１２】
本発明の他の目的は、設定された使用者状態情報に対応して、無線信号に対する応答モードをマッピングできる移動通信端末機及び無線処理方法を提供することにある。
【００１３】
本発明の更に他の目的は、移動通信端末機を用いてインスタントメッセージングサービスを実現する場合に、インスタントメッセージングサービスに対して設定された使用者状態情報に応じて、無線信号に対する応答モードを設定できる移動通信端末機及び無線処理方法を提供することにある。
【００１４】
本発明の他の目的、特徴及び効果は、以下の説明に記載され、以下の記載の検討から当業者にとって明らかとなり、また、その実践により理解される。上記以外の目的及び効果も、以下の説明、特許請求の範囲及び添付図面において提示される構成により理解され、実現される。
【課題を解決するための手段】
【００１５】
上記目的を達成するために、本発明は移動通信端末機の無線信号処理方法を提供する。この移動通信端末機の無線信号処理方法は、無線信号を受信すると移動通信端末機に設定されている使用者状態情報を確認する段階と、確認された使用者状態情報に対応する応答モードをマッピングする段階と、マッピングされた応答モードにしたがって前記無線信号を処理する段階と、を含む。
【００１６】
上記移動通信端末機の無線信号処理方法は、前記移動通信端末機に前記使用者状態情報を設定する段階をさらに含む。
【００１７】
また、上記移動通信端末機の無線信号処理方法は、インスタントメッセージングサービス機能が使用されているか否かを確認する段階と、前記確認の結果に応じて、前記設定された使用者状態情報を外部のインスタントメッセージングサービスサーバーに登録する段階と、をさらに含む。
【００１８】
また、上記移動通信端末機の無線信号処理方法は、前記無線信号の発信者情報を確認する段階と、確認された発信者情報に基づいて、前記設定された使用者状態情報とは無関係に応答モードを設定する段階と、をさらに含む。
【００１９】
本発明の他の態様においては、通信システムにおける無線信号処理方法が提供される。この通信システムにおける無線信号処理方法は、移動通信端末機がインスタントメッセージングサービスサーバーに使用者状態情報を登録する段階と、前記インスタントメッセージングサービスサーバーが前記登録された使用者状態情報を信号管理サーバーと共有する段階と、前記移動通信端末機が前記信号管理サーバーから無線信号を受信する段階と、前記移動通信端末機が前記登録された使用者状態情報に基づいて前記無線信号を処理する段階と、を含む。
【００２０】
本発明の他の態様においては、無線信号処理機能を有する移動通信端末機が提供される。この移動通信端末機は、使用者状態情報を設定する状態設定モジュールと、無線信号を送受信する送受信部と、前記設定された使用者状態情報に対応する応答モードをマッピングし、このマッピングされた応答モードにしたがって前記無線信号を処理するための制御信号を出力する制御部と、を含む。
【００２１】
本発明の他の態様においては、無線信号処理機能を有する通信システムが提供される。この通信システムは、移動通信端末機から受信した使用者状態情報を登録して管理するインスタントメッセージングサービスサーバーと、前記インスタントメッセージングサービスサーバーに登録された前記使用者状態情報を共有し、前記使用者状態情報によって前記移動通信端末機に伝送される無線信号が処理されるように管理する信号管理サーバーと、前記使用者状態情報を前記インスタントメッセージングサービスサーバーに送信し、前記信号管理サーバーを通して受信される無線信号を前記使用者状態情報にしたがって処理する移動通信端末機と、を含む。
【００２２】
本発明についての上述した概要及び以下の詳細な説明は、例示及び説明のためのものであり、また、特許請求の範囲に記載された発明の更なる説明を提供することを意図している。
【発明の効果】
【００２３】
本発明によると、使用者状態情報に応じてマッピングされた応答モードによって無線信号を処理するので、端末機（その使用者）の現在の状態に応じて受信した無線信号を適切に処理できるという効果がある。
【００２４】
また、本発明によると、インスタントメッセージングサービスと関連して設定された状態情報と、端末機を用いる実際の使用者状態情報とを同期化できるという効果がある。
【発明を実施するための最良の形態】
【００２５】
以下、本発明の好ましい実施形態を添付の図面に基づいて詳細に説明する。また、本発明の以下の説明において、本発明の要旨を不明瞭にすると判断される公知技術に対しては、その詳細な説明を省略する。
【００２６】
図２を参照して、本発明に係る無線信号処理機能を有する移動通信端末機及び通信システムを以下に詳細に説明する。
【００２７】
図２に示すように、移動通信端末機は、無線信号を送受信する送受信部２１０と、使用者状態情報を設定する状態設定モジュール２２０と、使用者状態情報に応じて無線信号を処理するための制御信号を出力する制御部２３０と、制御信号によって無線信号を処理する信号処理部２４０と、を含む。
【００２８】
また、図２に示すように、通信システムは、移動通信端末機から受信した使用者状態情報を登録して管理するインスタントメッセージングサービスサーバー２５０と、このインスタントメッセージングサービスサーバー２５０に登録された使用者状態情報を共有し、該使用者状態情報によって移動通信端末機に伝送される無線信号が処理されるように管理する信号管理サーバー２６０と、使用者状態情報をインスタントメッセージングサービスサーバー２５０または信号管理サーバー２６０に送信し、該使用者状態情報に基づいて受信した無線信号を処理する移動通信端末機と、を含む。
【００２９】
ここで、インスタントメッセージングサービスサーバー２５０は、ＩＭＰＳ（Ｉｎｓｔａｎｔ  Ｍｅｓｓｅｎｇｅｒ  Ｐｒｏｖｉｄｉｎｇ  Ｓｙｓｔｅｍ）サーバーであり、信号管理サーバー２６０は、移動電話交換局サーバーである。
【００３０】
送受信部２１０は、無線通信網２７０を通して、インスタントメッセージングサービスサーバー２５０または信号管理サーバー２６０と無線信号を送受信する。
【００３１】
例えば、送受信部２１０は、状態設定モジュール２２０によって設定された使用者状態情報をインスタントメッセージングサービスサーバー２５０または信号管理サーバー２６０に送信する。
【００３２】
また、送受信部２１０は、呼び出し信号またはメッセージ信号を信号管理サーバー２６０との間で送受信する。
【００３３】
状態設定モジュール２２０は、移動通信端末機の使用者の現在状態を考慮した上で、使用者状態情報を設定する。
【００３４】
例えば、状態設定モジュール２２０は、使用者から入力される状態情報に基づいて使用者状態情報を設定する。状態情報モジュール２２０は、使用者の選択によって、オンライン（ｏｎ-ｌｉｎｅ）、退席（ｅｍｐｔｙ  ｏｒ  ａｗａｙ）、取り込み中（ｂｕｓｙ）、邪魔しないで（ｄｏ  ｎｏｔ  ｄｉｓｔｕｒｂ）及びオフライン設定状態（ｓｅｔ  ａｓ  ｏｆｆｌｉｎｅ）のうち何れか一つを使用者状態情報として設定することができる。
【００３５】
ここで、使用者状態情報は、移動通信端末機によってインスタントメッセージングサービス機能が実現される場合に、自動的にまたは使用者によって設定される使用者状態と関連した情報を意味する。このとき、状態設定モジュール２２０は、送受信部２１０を介して、インスタントメッセージングサービスサーバー２５０に設定された使用者状態情報を登録する。そして、インスタントメッセージングサービスサーバー２５０は、登録された使用者状態情報を信号管理サーバー２６０と共有する。
【００３６】
また、使用者状態情報は、インスタントメッセージングサービス機能の使用、不使用にかかわらず設定されることもできる。このとき、状態設定モジュール２２０は、信号管理サーバー２６０に設定された使用者状態情報を登録する。
【００３７】
したがって、設定された使用者状態情報は、インスタントメッセージングサービスサーバー２５０または信号管理サーバー２６０に登録され、無線信号を適切に処理するために用いられる。
【００３８】
制御部２３０は、状態設定モジュール２２０によって設定された使用者状態情報に対応する応答モードをマッピングし、このマッピングされた応答モードに基づいて無線信号を処理するための制御信号を出力する。
【００３９】
制御部２３０は、使用者状態情報に対応する応答モードをマッピングするマッピングモジュール２３２を含む。
【００４０】
例えば、設定された使用者状態情報が「退席(empty or away)」である場合、マッピングモジュール２３２は、無応答モードをマッピングする。この無応答モードは、呼び出し信号またはメッセージ信号が受信されたことを使用者に知らせず、不在着信として処理したり、未確認メッセージとして処理したりするモードを意味する。
【００４１】
また、設定された使用者状態情報が「取り込み中（busy）」である場合、マッピングモジュール２３２は、通話不可応答モードをマッピングする。この通話不可応答モードは、受信呼び出しに対しては通話が不可能な状態にあるものとして処理し、受信メッセージに対して未確認メッセージとして処理するモードを意味する。
【００４２】
また、設定された使用者状態情報が「オフライン設定（set as off-line）」である場合、マッピングモジュール２３２は、オフライン応答モードをマッピングする。このオフライン応答モードは、受信呼び出しに対しては移動通信端末機の電源がオフ状態にあるものとして処理し、受信メッセージに対しては未確認メッセージとして処理するモードを意味する。このようにする理由は、使用者が「オフライン設定」とするときには、自身の状態を外部に知らせない意図を持つためである。
【００４３】
また、設定された使用者状態情報が「オンライン」である場合、マッピングモジュール２３２は、正常応答モードをマッピングする。この正常応答モードは、受信呼び出しまたは受信メッセージを正常に処理するモードを意味する。
【００４４】
信号処理部２４０は、マッピングモジュール２３２によってマッピングされた応答モードに応じて無線信号を処理する。
【００４５】
例えば、無応答モードがマッピングされている場合には、信号処理部２４０は、呼び出し信号またはメッセージ信号が受信されたことを使用者に知らせず、不在着信として処理したり、未確認メッセージとして処理したりする。したがって、使用者は、呼び出し信号またはメッセージ信号の受信を全く知ることができない。このとき、信号管理サーバー２６０は、呼び出し連結を試みる発信者に対して、継続的に通話連結音のみを提供する。
【００４６】
また、通話不可応答モードがマッピングされている場合には、信号処理部２４０は、呼び出し信号またはメッセージ信号が受信されたことを使用者に知らせず、現在の移動通信端末機が通話不可能な状態にあるものとして処理する。したがって、使用者は、呼び出し信号またはメッセージ信号の受信を全く知ることができない。このとき、信号管理サーバー２６０は、呼び出し連結を試みる発信者に対し、現在の移動通信端末機が通話不可能な状態にあるという案内メッセージを提供する。
【００４７】
また、オフライン応答モードがマッピングされている場合、信号処理部２４０は、呼び出し信号またはメッセージ信号が受信されたことを使用者に知らせず、現在の移動通信端末機の電源がオフ状態にあるものとして処理する。したがって、使用者は、呼び出し信号またはメッセージ信号の受信を全く知ることができない。このとき、信号管理サーバー２６０は、呼び出し連結を試みる発信者に対し、現在の移動通信端末機が電源オフ状態にあるという案内メッセージを提供する。
【００４８】
一方、移動通信端末機は呼び出し信号またはメッセージ信号の受信に対して無音または無振動で動作することになるが、信号処理部２４０は、呼び出し信号に対しては不在着信の形態で管理し、メッセージ信号に対しては、受信されたが確認されていないメッセージの形態で管理する。
【００４９】
また、正常応答モードがマッピングされている場合、信号処理部２４０は、呼び出し信号またはメッセージ信号が受信されたことを使用者に知らせる。
【００５０】
以下、図３を参照して、本発明の一実施形態に係る移動通信端末機の無線信号処理方法を説明する。
【００５１】
まず、移動通信端末機は、使用者状態情報を設定する（Ｓ３１０）。
【００５２】
すなわち、移動通信端末機は、自動的にまたは使用者の選択によって、オンライン（ｏｎ-ｌｉｎｅ）、退席（ｅｍｐｔｙ  ｏｒ ａｗａｙ）、取り込み中（ｂｕｓｙ）、邪魔しないで（ｄｏ  ｎｏｔ  ｄｉｓｔｕｒｂ）及びオフライン設定（ｓｅｔ  ａｓ  ｏｆｆｌｉｎｅ）のうちの何れか一つを使用者状態情報として設定する。
【００５３】
次に、移動通信端末機は、現在、インスタントメッセージングサービス機能が使用されているか否かを判断する（Ｓ３１５）。
【００５４】
上記判断の結果、インスタントメッセージングサービス機能が使用されている場合には、移動通信端末機は、設定された使用者状態情報をインスタントメッセージングサービスサーバー２５０に登録する（Ｓ３１７）。このとき、インスタントメッセージングサービスサーバー２５０は、登録された使用者状態情報を信号管理サーバー２６０と共有する。
【００５５】
一方、上記判断の結果、インスタントメッセージングサービス機能が使用されていない場合には、移動通信端末機は、設定された使用者状態情報を信号管理サーバー２６０に登録する（Ｓ３１９）。この場合において、かかるＳ３１９の処理は、上記判断の結果、インスタントメッセージングサービス機能が使用されている場合にも行われてもよい。
【００５６】
また、上記判断の結果、インスタントメッセージングサービス機能が使用されていない場合には、移動通信端末機は、無線信号を受信し、正常応答モードによる動作を行える。すなわち、移動通信端末機は、呼び出しを受信した場合には該受信した呼び出しを連結し、メッセージを受信した場合には該受信したメッセージを直ちに使用者に提供する。
【００５７】
移動通信端末機は、無線通信網２７０を通して、信号管理サーバー２６０から無線信号を受信する（Ｓ３２１）。
【００５８】
ここで、上記無線信号は、呼び出し信号またはメッセージ信号を意味する。
【００５９】
次に、移動通信端末機は、受信した無線信号の発信者に対する情報を確認し（Ｓ３２３）、その確認された発信者情報が特定の発信者に対する情報であるかを判断する（Ｓ３２５）。
【００６０】
上記判断の結果、発信者情報が特定の発信者に対する情報である場合には、移動通信端末機は、設定された使用者状態情報と独立的に設定された別途の応答モードによって、受信した無線信号を処理する。
【００６１】
例えば、使用者によって特定の発信者に対して正常応答モードが設定されている場合には、移動通信端末機は、設定された使用者状態情報とは無関係に、該特定の発信者からの呼び出し信号またはメッセージ信号を正常に処理する。すなわち、使用者は、特定の発信者からの呼び出しについては必ず連結すべきであるとし、特定の発信者からのメッセージについては必ず確認すべきであるとしている場合には、設定された使用者状態情報と独立的に、特定の発信者からの無線信号を処理する。
【００６２】
なお、上記Ｓ３２３及びＳ３２５は、特別な場合のみに必要であり、本発明に係る通常の動作では省略されてもよい。
【００６３】
そして、上記判断の結果、特定の発信者に対する情報でない場合には、移動通信端末機は、設定された使用者状態情報を確認する（Ｓ３２７）。
【００６４】
そして、移動通信端末機は、確認された使用者状態情報に対応する応答モードをマッピングする（Ｓ３２９）。
【００６５】
以下、図４を参照して応答モードのマッピング方法について詳細に説明する。
【００６６】
使用者状態情報が「退席（empty or away）」である場合には、移動通信端末機は、無応答モードをマッピングする（Ｓ４２０、Ｓ４３０）。
【００６７】
この無応答モードは、呼び出し信号またはメッセージ信号が受信されたことを使用者に知らせず、不在着信として処理したり、未確認メッセージとして処理したりするモードを意味する。したがって、使用者は、呼び出し信号またはメッセージ信号の受信を全く知ることができない。また、呼び出し連結を試みる発信者には、継続的に通話連結音のみが提供される。
【００６８】
また、使用者状態情報が「取り込み中（busy）」である場合には、移動通信端末機は、通話不可応答モードをマッピングする（Ｓ４４０、Ｓ４５０）。
【００６９】
この通話不可応答モードは、受信呼び出しに対して通話が不可能な状態にあるものとして処理し、受信メッセージに対しては未確認メッセージとして処理するモードを意味する。したがって、使用者は、呼び出し信号またはメッセージ信号の受信を全く知ることができない。また、呼び出し連結を試みる発信者には、現在の移動通信端末機が通話不可能な状態にあるという案内メッセージが提供される。
【００７０】
また、使用者状態情報が「オフライン設定（set as off-line）」である場合には、移動通信端末機は、オフライン応答モードをマッピングする（Ｓ４６０、Ｓ４７０）。
【００７１】
このオフライン応答モードは、受信呼び出しに対しては移動通信端末機の電源がオフ状態にあるものとして処理し、受信メッセージに対しては未確認メッセージとして処理するモードを意味する。その理由は、使用者が「オフラインに表示」を設定するときは、自身の状態を外部に知らせない意図を持つためである。したがって、使用者は、呼び出し信号またはメッセージ信号の受信を全く知ることができない。また、呼び出し連結を試みる発信者には、移動通信端末機が電源オフ状態にあるという案内メッセージが提供される。
【００７２】
以上のように、設定された使用者状態情報に応じて、移動通信端末機は呼び出し信号またはメッセージ信号に対して無音または無振動となるが、移動通信端末機は、受信した呼び出しに対しては不在着信の形態で管理し、受信したメッセージに対しては、受信されたが、確認されていないメッセージの形態で管理する。
【００７３】
また、使用者状態情報が「オンライン」である場合には、移動通信端末機は、正常応答モードをマッピングする（Ｓ４８０）。
【００７４】
この正常応答モードは、受信呼び出しまたはメッセージを正常に処理するモードを意味する。したがって、移動通信端末機は、呼び出しまたはメッセージが受信されたことを使用者に正常に知らせる。
【００７５】
移動通信端末機は、マッピングされた応答モードに基づいて、受信した無線信号を処理する（Ｓ３３１）。
【００７６】
以上説明した本発明は、本発明の属する技術分野で通常の知識を有する者であれば、本発明の技術的思想から逸脱しない範囲内で多様に置換、変形及び変更可能である。したがって、本発明は、特許請求の範囲及びその均等範囲内でなされる修正、変更も本発明の範囲に含まれる。
【図面の簡単な説明】
【００７７】
添付図面は、本発明の更なる理解を提供するために含まれ、また、組み入れられて本出願の一部を構成する。そして、本発明の実施形態を示し、詳細な説明と共に本発明の原理を説明するのに役立つ。
【図１】従来技術に係る使用者状態情報の例示図である。
【図２】本発明の一実施形態に係る無線信号処理機能を有する移動通信端末機及び通信システムを示す構成図である。
【図３】本発明の一実施形態に係る移動通信端末機の無線信号処理方法を示すフローチャートである。
【図４】本発明の一実施形態に係る移動通信端末機の応答モードマッピング方法を示すフローチャートである。
【符号の説明】
【００７８】
２１０    送受信部
２２０    状態設定モジュール
２３０    制御部
２３２    マッピングモジュール
２４０    信号処理部
２５０    インスタントメッセージングサービスサーバー
２６０    信号管理サーバー
２７０    無線通信網
【図１】
2007195196.tif 000003
【図２】
2007195196.tif 000004
【図３】
2007195196.tif 000005
【図４】
2007195196.tif 000006
【外国語明細書】
2007195196.tif 000007
2007195196.tif 000008
2007195196.tif 000009
2007195196.tif 000010
2007195196.tif 000011
2007195196.tif 000012
2007195196.tif 000013
2007195196.tif 000014
2007195196.tif 000015
2007195196.tif 000016
2007195196.tif 000017
2007195196.tif 000018
2007195196.tif 000019
2007195196.tif 000020
2007195196.tif 000021
2007195196.tif 000022
2007195196.tif 000023
2007195196.tif 000024
2007195196.tif 000025
2007195196.tif 000026
2007195196.tif 000027
2007195196.tif 000028
2007195196.tif 000029
2007195196.tif 000030
2007195196.tif 000031
【図１】
2007195196.tif 000032
【図２】
2007195196.tif 000033
【図３】
2007195196.tif 000034
【図４】
2007195196.tif 000035